(57)【要約】本発明はノートパソコンに使う一種類のディスプレイフードであり、頂部部品及び両側にあるサイド部品から構成し、いずれも薄片状であり、三つの部品は繋いで囲み、頂部と両側が閉塞し、下側が開放する形を呈するフードである。前述するフードの内部の形はディスプレイの頂部と両側の形に適合し、また包装と運送しやすくするため固定部品によってノートパソコンに固定してあり、各部品の連接方式を変えることによってディスプレイフードを折りたたむ。【選択図】図１３
2010541027.tif 000002
【特許請求の範囲】
【請求項１】
ノートパソコンに使う一種類のディスプレイフードであり、頂部部品及び両側にあるサイド部品から構成し、いずれも薄片状であり、三つの部品は繋いで囲み、頂部と両側が閉塞し、下側が開放する形を呈するフードである。前述するフードの内部の形はディスプレイの頂部と両側の形に適合し、その特徴は、頂部部品と両側との間に連接部品があり、この連接部品で両側部品と頂部部品を繋げてあり、フードにまた固定部品が設けてあり、これでフードとノートパソコンとを固定することができる。
【請求項２】
請求項１に従属し、ディスプレイフードは、前述の連接部品によって頂部部品とサイド部品とを両者の連接ところで折り畳むことができることを特徴とする。
【請求項３】
請求項２に従属し、前述の連接部品の構造は以下である：
頂部部品とサイド部品が隣接する側に折り畳み辺を設け、この辺にナイロンマジックテープとマグネットを設置し、また前述するサイド部品と頂部部品が繋がっている辺の相応した場所にもナイロンマジックテープとマグネットを設けるか、或いはサイド部品と頂部部品が隣接する側に折りたたみ辺を設け、この辺にナイロンマジックテープとマグネットをつけ、また前述する頂部部品のサイド部品の折り畳み辺と接触し対応する場所にもナイロンマジックテープとマグナットを設けるか、或いは頂部部品とサイド部品がつなげるところにファスナーを設け、このファスナーを閉じることで頂部部品とサイド部品をつなげることができることを特徴とするディスプレイフード
【請求項４】
請求項３に従属し、固定部品について頂部部品及び二つのサイド部品にあるディスプレイのバックと接触する場所に折り畳み辺を設け、この折り畳み辺の内側にナイロンマジックテープ或いはマグネットをつけ、ディスプレイのバックが頂部部品及びサイド部品の折り畳み辺と接触する場所にもナイロンマジックテープとマグネットを設けたディスプレイフード。
【請求項５】
請求項３に従属し、前述する頂部部品にまたバック部品を設け、このバック部品と頂部部品を可撓接続法で接続し、前述するバック部品と頂部部品は両者が接続する場所で折り畳むことができ、
前述する頂部部品とバック部品はいずれも左、中間、右の三つの部分から構成し、頂部部品の左、中間、右の三つの部分はバック部品の三つの部分とそれぞれ直接つながり、
頂部部品の中間部分は位置制限装置で左と右の両部分に接続し、前述する装置によって頂部部品の左右両部分を中間部分の違う場所に固定することができ、この両部分を中間部分の違う場所に固定すると、頂部部品の幅もそれにしたがって変わり、
バック部品の中間部分は位置制限装置で左右両部分に接続し、前述する位置制限装置はバック部品の左右両部分を中間部分の違う場所に固定することができ、両部分を中間部分の違う場所に固定すると、バック部品の幅もしたがって変わるノートパソコンのディスプレイフード。
【請求項６】
請求項５に従属し、前述する位置制限装置の構造は次である：頂部部品の中部に鉄片或いはナイロンマジックテープを設け、頂部部品の左右両部分にあり、中部と接触する対応する場所にもマグネット或いはナイロンマジックテープを設け、底部部品の中部に鉄片或いはナイロンマジックテープを設け、底部部品の左右両部分にある、中部と接触する対応する場所にもマグネット或いはナイロンマジックテープを設けたディスプレイフード。
【請求項７】
請求項５に従属し、前述する固定部品のバック部品の内側にある四角に傾斜するゴムひもを設けたディスプレイフード。
【請求項８】
請求項７に従属し、前述するバック部品及び両サイド部品の下側に一つ或いは複数の溝を設け、それ以下の部分は溝に沿って取り外すことができるディスプレイフード。
【請求項９】
請求項８に従属し、前述するバック部品の下側にある各溝の左下角と右下角に傾斜するゴムひもを設けたディスプレイフード。
【請求項１０】
請求項１、２或いは３のいずれかに従属し、前述する頂部部品の下側にまたバック部品を設け、このバック部品の両側は両サイド部品とそれぞれ接続し、
バック部品と頂部部品は可撓接続法で接続し、前述する可撓接続によってバック部品と頂部部品を接続するところで折り畳むことができ、バック部品と両サイド部品の間も可撓接続法で接続し、バック部品と左側部品は両者がつながるところで折り畳むことができ、またバック部品と右側部品も両者の接続するところで折り畳むことができ、前述するバック部品の下側にまた底部部品を設け、当該底部部品とバック部品は可撓接続法で接続し、また両者の接続する場所で折り畳むことができ、当底部部品はいわゆる前述する固定部品であるディスプレイフード。
【請求項１１】
請求項１０に従属し前述するバック部品の下側に設備接続口を設け、この設備接続口の場所と形状はノートパソコンの後ろにある設備接続口の場所と形状に適合するディスプレイフード。
【請求項１２】
請求項１１に従属し、前述するバック部品と底部部品の間に折りたたみ辺を設け、この折り畳み辺に設備接続口を設置し、その場所と形状はノートパソコンの後部にある設備接続口のと適合するディスプレイフード。
【請求項１３】
請求項１或いは３に従属し、前述するサイド部品の下側に裂け目を設け、この裂け目の位置と形状はノートパソコンの両側にある設備接続口のそれに適合するディスプレイフード。
【請求項１４】
請求項１に従属し、頂部部品の両側と両サイド部品とは可撓接続法で直接接続し、頂部部品と両側部品はそれぞれの接続するところに沿って折り畳むことができるディスプレイフード。
【請求項１５】
請求項１４に従属し、固定部品の構造は以下である：頂部部品と両サイド部品にあるノートパソコンに接続するところにいずれも折り畳み辺を設け、この折り畳み辺の内側にナイロンマジックテープ或いはマグネットを設置する同時に、また頂部部品及びサイド部品の折り畳み辺と接触するディスプレイのバックにある対応する場所にもナイロンマジックテープ或いはマグネットを設けるディスプレイフード。
【請求項１６】
請求項１４に従属し、前述する頂部部品は左右両部分から構成し、この両部分の接続構造は以下である：右部分と接触する左部分の外側にある対応する場所にナイロンマジックテープ或いはマグネットを設ける同時に、また右部分の内側の対応するところでナイロンマジックテープ或いはマグネットを設けるか、或いは、右部分と接触する左部分の内側にある対応する場所にナイロンマジックテープ或いはマグネットを設ける同時に、また右部分の外側の対応するところでナイロンマジックテープ或いはマグネットを設けるディスプレイフード。
【請求項１７】
請求項１６に従属し、ディスプレイのバックの底辺にまたナイロンマジックテープ或いはマグネットを設け、このナイロンマジックテープ或いはマグネットによって折り畳んであるディスプレイフードをパソコンに固定させるディスプレイフード。
【請求項１８】
請求項１４に従属し、ディスプレイフード、その特徴は次である。前述する頂部部品の下側にまたバック部品を設け、前述するバック部品と頂部部品は可撓接続法で接続し、また両者がつながるところで折り畳むことができ、バック部品の両側は両サイド部品とそれぞれ接続する。
【請求項１９】
請求項１８に従属し、前述するバック部品とサイド部品との接続構造は以下である：サイド部品と隣接するバック部品の片側に折り畳み辺を設け、上にまたナイロンマジックテープ或いはマグネットを設ける同時に、バック部品の折り畳み辺と接触する前述するサイド部品にある対応する場所でナイロンマジックテープ或いはマグネットを設けるか、或いはバック部品と隣接するサイド部品の片側に折り畳み辺を設け、上にまたナイロンマジックテープ或いはマグネットを設ける同時に、サイド部品の折り畳み辺と接触する前述するバック部品にある対応する場所でナイロンマジックテープ或いはマグネットを設けるディスプレイフード。
【請求項２０】
請求項１９でに従属し、固定部品の構造は以下である：バック部品の下側に底部部品を設け、当底部部品とバック部品は可撓接続法で接続し、また両者がつながるところで折り畳むことができ、当底部部品はいわゆる前述する固定部品であるか、或いは、バック部品の四角に一つ或いは複数のゴムひもを設けるか、或いは、バック部品の内側にナイロンマジックテープ或いはマグネットを設ける同時に、またディスプレイのバックにある対応する場所でナイロンマジックテープ或いはマグネットを設けるディスプレイフード。
【請求項２１】
請求項５或いは１０、１４、１８、２０のいずれかに従属し、前述する可撓接続は溝或いは蝶番形をする接続装置であるディスプレイフード。
【請求項２２】
請求項１でに従属し、前述する頂部部品に設備接続口を設け、またこの接続口に適合する蓋も設けるディスプレイフード。
【請求項２３】
請求項１に従属し、ディスプレイフード、その特徴は次である：前述するディスプレイフードの裏面には黒いカシミヤを植えたり張ったりする。
【請求項２４】
請求項１に従属し、前述するディスプレイフードの外側に太陽電池セルを設け、このセルにまたプラグを設置するディスプレイフード。
【請求項２５】
請求項２４に従属し、前述する太陽電池セルは、アモルファスシリコン、単結晶シリコン、多結晶シリコンの太陽電池セルなどであるディスプレイフード。
【発明の詳細な説明】
【技術分野】
【０００１】
本発明はフードであり、特にノートパソコンディスプレイの遮光に使うものである。
【背景技術】
【０００２】
ディスプレイを使うとき、環境の光線と散乱光線は直接ディスプレイの表面に当たり、ユーザのディスプレイの色彩に対する感知に影響を与える。パソコンディスプレイフードを利用すれば、環境の光線と散乱光線の妨害を有効に解決することができる。しかし、いまユーサーたちが使っているのはいずれもオーダーメイドした専用のフードで、市場には大衆のニーズにかなうパソコンディスプレイフードがまだ出ていない。
【発明の概要】
【発明が解決しようとする課題】
【０００３】
本発明で解決しようとする技術問題は大衆のニーズにかなうパソコンディスプレイフードを提供することである。
【課題を解決するための手段】
【０００４】
本発明で上述する技術問題を解決する技術提案は以下である：パソコンディスプレイフードであり、頂部部品及び両側にあるサイド部品から構成され、いずれも薄片状であり、三つの部品を繋いで囲み、頂部と両側が閉塞し、下側が開放する形を呈するフードである。前述するフードの内部の形はディスプレイの頂部と両側の形に適合し、その特徴としては、頂部部品と両サイド部品の間に接続部品があり、これによって両サイド部品と頂部部品とを接続させ、ディスプレイフードにも固定部品を設け、これでフードとパソコンとを固定することができる。
【０００５】
本発明の効果としては、大衆のニーズにかなうパソコンディスプレイフードを提供し、環境の光線と散乱光線が直接に表示器の表面に当たらないようにし、環境の光線と散乱光線の妨害を有効に解決することができる。
【０００６】
上述する提案の上に、本発明はさらに以下のように改善することができる。つまり、前述する接続部品によって頂部部品とサイド部品とを両者が接続するところで折り畳むことができる。上述する改善案を採用する有益な効果はディスプレイを折り畳むことができ、包装と運送が便利になる。
【０００７】
さらに、前述する連接部品の構造は：サイド部品と隣接する頂部部品の片側に折り畳み片を設け、その上にナイロンマジックテープ（登録商標）或いはマグネットを設ける同時に、頂部部品の折り畳み片と接触する、前述するサイド部品にある対応する場所にもナイロンマジックテープ（登録商標）或いはマグネットを設けるものである。
【０００８】
或いは、頂部部品と隣接するサイド部品の片側に折り畳み片を設け、その上にナイロンマジックテープ（登録商標）或いはマグネットを設ける同時に、サイド部品の折り畳み片と接触する、前述するサイド部品にある対応する場所にもナイロンマジックテープ（登録商標）或いはマグネットを設けるようにしてもよい。
【０００９】
或いは、頂部部品とサイド部品が隣接するところにファスナーを設け、このファスナーを閉じると、当該サイド部品と頂部部品を接続することができる。
【００１０】
さらに、前述の固定部品の構造は以下である：頂部部品と二つのサイド部品にあるディスプレイのバックと接触する場所に折り畳み辺を設け、この折り畳み辺の内側にナイロンマジックテープ（登録商標）或いはマグネットを設ける同時に、ディスプレイのバックが頂部部品及びサイド部品の折り畳み辺と接触する場所にもナイロンマジックテープ（登録商標）またはマグネットを設ける。上述する改善案を採用する有益な効果はディスプレイフードをしかっりと取り付けることがである。
【００１１】
さらに、前述する頂部部品にまたバック部品を設け、このバック部品と頂部部品が可撓接続法で接続され、前述するバック部品と頂部部品は二者の接続するところで折り畳むことができるようにしてもよい。
【００１２】
前述する頂部部品とバック部品はいずれも左、中間、右の三つの部分から構成され、頂部部品の左、中間、右の三つの部分はバック部品の三つの部分とそれぞれ直接接続される。
【００１３】
頂部部品の中間部分は位置制限装置で左と右の両部分に接続し、この装置で頂部部品の左と右の両部分を中間部分の違う場所に固定することができ、この両部分を中間部分の違う場所に固定すると、頂部部品の幅もそれにしたがって変わる。
【００１４】
バック部品の中間部分は位置制限装置で左右の両部分に接続し、前述する位置制限装置はバック部品の左右両部分を中間部分の違う場所に固定することができ、両部分を中間部分の違う場所に固定すると、バック部品の幅もしたがって変わる。上述した改善案を採用する有益な効果は違う規格のパソコンに適用するのにディスプレイフードの使用幅を調整することができることである。
【００１５】
さらに、上述する位置制限装置の構造は以下である：頂部部品の中部に鉄片或いはナイロンマジックテープ（登録商標）を設け、頂部部品の左右両部分にある、前記中部と接触する対応する場所にもマグネット或いはナイロンマジックテープ（登録商標）を設ける。底部部品の中部は鉄片で、底部部品の左右両部分にある、中部と接触する対応する場所にもマグネット或いはナイロンマジックテープ（登録商標）を設ける。
【００１６】
さらに、前述する固定部品のバック部品の内側にある四角に傾斜するゴムひもを設けるようにしてもよい。
【００１７】
さらに、その特徴としては：前述するバック部品及び両サイド部品の下側に一つ或いは複数の溝を設け、それ以下の部分は溝に沿って取り外すことができるようにしてもよい。
【００１８】
さらに、前述するバック部品の下側にある各溝の左下角と右下角に傾斜するゴムひもを設けるようにしてもよい。上述する改善案を採用する有益な効果は溝を切り整えることでディスプレイフードの使用高度を調整することができることである。
【００１９】
さらに、前述する頂部部品の下側にまたバック部品を設け、このバック部品の両側は両サイド部品とそれぞれ接続し、バック部品と頂部部品は可撓接続法で接続し、前述する可撓接続によってバック部品と頂部部品を接続するところで折り畳むことができるようにしてもよい。
【００２０】
バック部品と両サイド部品の間も可撓接続で接続し、バック部品と左側部品は両者が可撓接続するところで折り畳むことができ、またバック部品と右側部品も両者の可撓接続するところで折り畳むことができる
【００２１】
前述するバック部品の下側にまた底部部品を設け、当該底部部品とバック部品は可撓接続法で接続し、また両者の接続する場所で折り畳むことができ、当底部部品はいわゆる前述する固定部品に相当する。
【００２２】
さらに、前述するバック部品の下側に設備接続口を設け、この設備接続口の場所と形状はノートパソコンの後ろにある設備接続口の場所と形状に適合するようにする。
【００２３】
さらに、前述するバック部品と底部部品の間に折り畳み辺を設け、この折り畳み辺に設備接続口があり、その場所と形状はノートパソコンの後ろにある設備接続口と適合するようにする。上述する改善案を採用する有益な効果は、パソコンがやや大きいと、バック部品と底部部品の間にある折り畳み片によってディスプレイの使用高度を増やすことができる点であり、折り畳み片にはノートパソコンの後部にある設備接続口に適用する設備接続口を設けてもよい。
【００２４】
さらに、前述するサイド部品の下側に裂け目を設け、この裂け目の位置と形状はノートパソコンの両側にある設備接続口のそれに適合するようにする。上述する改善案を採用する有益な効果は、パソコンの両側にある散熱穴及び接続口の使用が便利になることである。
【００２５】
さらに、頂部部品の両側は両サイド部品と可撓接続法で直接接続し、頂部部品と両サイド部品はそれぞれの接続するところで折り畳むことができる。
【００２６】
さらに、上述する固定部品の構造は以下である：頂部部品と両サイド部品にあるノートパソコンと接続するところにいずれも折り畳み辺を設け、この折り畳み辺の内側にナイロンマジックテープ（登録商標）或いはマグネットを設ける同時に、また頂部部品及びサイド部品の折り畳み辺と接触するディスプレイのバックにある対応する場所にもナイロンマジックテープ（登録商標）或いはマグネットを設ける。
【００２７】
さらに、上述する頂部部品は左右の両部分から構成し、両部分の接続構造は以下である：
右部分と接触する左部分の外側にある対応する場所にナイロンマジックテープ（登録商標）或いはマグネットを設ける同時に、また右部分の内側の対応するところでナイロンマジックテープ（登録商標）或いはマグネットを設ける。
【００２８】
或いは、右部分と接触する左部分の内側にある対応する場所にナイロンマジックテープ（登録商標）或いはマグネットを設ける同時に、また右部分の外側の対応するところでナイロンマジックテープ（登録商標）或いはマグネットを設ける。さらに、ディスプレイのバックの底辺にまたナイロンマジックテープ（登録商標）或いはマグネットを設ける。
【００２９】
上述する改善案を採用する有益な効果は、ディスプレイのバックにあるナイロンマジックテープ（登録商標）或いはマグネットによって折り畳んであるフードをパソコンに固定することができる。
さらに、前述する頂部部品の下側にまたバック部品を設け、前述するバック部品と頂部部品は可撓接続法で接続し、また両者が接続するところで折り畳むことができ、バック部品の両側は両サイド部品とをそれぞれ接続する。
【００３０】
さらに、前述するバック部品とびサイド部品との間の接続構造は以下である：サイド部品と隣接するバック部品の片側に折り畳み辺を設け、上にナイロンマジックテープ（登録商標）或いはマグネットを設ける同時に、バック部品の折り畳み辺と接触する前述するサイド部品にある対応する場所でナイロンマジックテープ（登録商標）或いはマグネットを設けるようにする。
【００３１】
或いは、バック部品と隣接するサイド部品の片側に折り畳み辺を設け、上にまたナイロンマジックテープ（登録商標）或いはマグネットを設ける同時に、サイド部品の折り畳み辺と接触する前述するバック部品にある対応する場所でナイロンマジックテープ（登録商標）或いはマグネットを設ける。
【００３２】
さらに、前述する固定部品の構造は以下である：バック部品の下側に底部部品を設け、当底部部品とバック部品は可撓接続法で接続し、また両者が接続するところで折り畳むことができ、当底部部品はいわゆる前述する固定部品であるか、或いは、バック部品の四角に一つ或いは複数のゴムひもを設けるか、或いは、バック部品の内側にナイロンマジックテープ（登録商標）或いはマグネットを設ける同時に、またディスプレイのバックにある対応する場所でナイロンマジックテープ（登録商標）或いはマグネットを設けるようにしてもよい。
【００３３】
さらに、前述する可撓接続は溝或いは蝶番形をする接続装置であってもよい。また、さらに、前述する頂部部品に設備接続口を設け、またこの接続口に適合する蓋も設けてもよい。
上述する改善案を採用する有益な効果は、設備接続口を設置することによってフードを取り外しなくても各種の設備につなげることができる点である。
【００３４】
さらに、前述するディスプレイフード裏面には黒いカシミヤを植えたり張ったりしてもよい。さらに、前述するディスプレイフードの外側に太陽電池セルを設け、このセルにまたプラグを設置するようにしてもよい。上述する改善案を採用する有益な効果は、室外でノートパソコンを使うとき、パソコン、携帯及び電子カメラなどのデジタル製品に充電することができるという点である。
【００３５】
さらに、前述する太陽電池セルにはアモルファスシリコン、単結晶シリコン、多結晶シリコンの太陽電池セルなどがある。多くの最適方法を見つけ出すために、前述する本発明の各種の技術提案を互いに組み合わせることができる。
【図面の簡単な説明】
【００３６】
【図１】本発明の実例１の平面図である。
【図２】本発明の実例１のノートパソコンに使うときの左からの側面図である。
【図３】本発明の実例２の展開状態の平面図である。
【図４】本発明の実例２のノートパソコンに使うときの通常状態の左からの側面図である。
【図５】本発明の実例２のノートパソコンに使うときの通常状態の後ろからの側面図である
【図６】本発明の実例２のノートパソコンに使うときの上部が上がっている状態の左からの側面図である。
【図７】本発明の実例２のノートパソコンに使うときの上部が上がっている状態の後ろからの側面図である。
【図８】本発明の実例２の両サイド部品が折り畳んでいる状態の平面図である。
【図９】本発明の実例３の展開状態の平面図である。
【図１０】本発明の実例３のノートパソコンに使うときの側面図である。
【図１１】本発明の実例４の展開状態の平面図である。
【図１２】本発明の実例３のノートパソコンに使うときの左からの側面図である。
【図１３】本発明の実例５の展開状態の平面図である。
【図１４】本発明の実例５がノートパソコンに取り付けるときの平面図である。
【図１５】本発明の実例５がノートパソコンに使うときの後ろからの側面図である。
【図１６】本発明の実例５の両サイド部品が折り畳んでいる状態の平面図である。
【図１７】本発明の実例５の両サイド部品と頂部部品が折り畳んでいる状態の平面図である。
【図１８】本発明の実例６の展開状態の平面図である。
【図１９】本発明の実例６の両サイド部品が折り畳んでいる状態の平面図である。
【図２０】本発明の実例６の両サイド部品と頂部部品が折り畳んでいる状態の平面図である
【図２１】本発明の実例６がノートパソコンに取り付けるときの平面図である。
【図２２】本発明の実例７の展開状態の平面図である。
【図２３】本発明の実例７の頂部部品がノートパソコンに折り畳んでいる状態の平面図である。
【図２４】本発明の実例７の頂部部品と両サイド部品がノートパソコンに折り畳んでいる状態の平面図である。
【図２５】本発明の実例８の展開状態の平面図である。
【図２６】本発明の実例８の展開状態の側面図である。
【図２７】本発明の実例８のノートパソコンに使うときの正面図である。
【図２８】本発明の実例９の展開状態の平面図である。
【図２９】本発明の実例９の展開状態の側面図である。
【図３０】本発明の実例９のノートパソコンに使うときの正面図である。
【図３１】本発明の実例１０の正面図である。
【図３２】本発明の実例１０がノートパソコンに使うときの左からの側面図である。
【図３３】本発明の実例１１の正面図である。
【図３４】本発明の実例１１がノートパソコンに使うときの正面図である
【発明を実施するための形態】
【００３７】
以下では付図を使って本発明の原理と特徴を説明するが、挙げた実例はただ本発明の解釈に使い、本発明の範囲を限定しないものである。
【００３８】
図１の示すとおり、本発明の実例１の中のディスプレイフードは頂部部品１、左側部品２及び右側部品３から構成し、前述する頂部部品１の下側にバック部品４を設け、これは頂部部品１と直接接続し、また接続するところに溝６を設け、頂部部品１及びバック部品４は溝６に沿って折り畳むことができ、またバック部品と頂部部品とを門の軸に似ている蝶番装置で接続することもできる。バック部品４の両側は両サイド部品とそれぞれ接続し、繋がるところにも溝を設け、左側部品２とバック部品４を溝７に沿って折り畳むことができ、右側部品３とバック部品４を溝８に沿って折り畳むことができる。
【００３９】
バック部品４の下側に底部部品５を設け、これをバック部品４と直接接続し、また繋がるところで溝９を設け、バック部品４と底部部品５を溝９に沿って折り畳むことができる。頂部部品１の両側にそれぞれ折り畳み片１０，１１を設け、その内側でナイロンマジックテープ（登録商標）をつけ、またサイド部品にあって頂部部品１の折り畳み片１０，１１と接触するところにもナイロンマジックテープ（登録商標）を設ける。また、ナイロンマジックテープ（登録商標）は折り畳み片の外側に設けることもでき、この場合ではサイド部品にあった頂部部品の折り畳み片と接触する位置も従って変わり、しかも前述するナイロンマジックテープ（登録商標）の替わりにマグネットを使うこともできる。
【００４０】
図２は本発明の実例１がノートパソコンに使うときの左からの側面図であり、底部部品５をパソコン１２の下側に押してあり、ディスプレイフードとノートパソコンとを一緒に固定し、頂部部品の折り畳み片１０と左側部品２とを接触させ、ナイロンマジックテープ（登録商標）で接続し、頂部部品の折り畳み片１１と右側備品３をナイロンマジックテープ（登録商標）でつなげる。
【００４１】
図３が示すとおり、本発明の実例２は実例１の上に改善したもの、両サイド部品２，３の下側にそれぞれ裂け目１３，１４を設け、当ノートパソコンフードを使ってサイド部品と底部部品とをつなげ、閉じる後で形成した裂け目の位置と形状はノートパソコンの両側にある設備接続口のそれと適合する。バック部品の下側に電線をつなぐための穴１５，１６を設け、その位置と形状はパソコンの後部にある穴の位置と形状に適合する。バック部品と底部部品の間で折り畳み辺１９を設け、上に穴１７，１８を設置し、穴の位置と形状はパソコンの後部にあるものと適合する。
【００４２】
図４は本発明の実例２がノートパソコンに使うときの通常状態の左からの側面図であり、折り畳み辺１９及び底部部品５はいずれもパソコン１２の下に押してあり、ディスプレイフードとパソコンとを一緒に固定させ、側面にある裂け目１９の形状と位置は散熱穴のと適合する。
【００４３】
図５は本発明の実例２がノートパソコンに使うときの通常状態の後ろからの側面図であり、折り畳み辺１９及び底部部品５はパソコン１２の下に押してあり、ディスプレイフードとパソコンとを一緒に固定させ、バック部品の下側に電線をつなぐための穴１５，１６の位置と形状はパソコンの後部にある穴の位置と形状に適合する。
【００４４】
図６は本発明の実例２がノートパソコンに使うときの上部が上がっている状態の左からの側面図である。底部部品５だけをパソコン１２の下に押してあり、折り畳み辺１９はノートパソコンの後部と連接する。
【００４５】
図７は本発明の実例２がノートパソコンに使うときの上部が上がっている状態の後ろからの側面図であり、底部部品５だけをパソコン１２の下に押してあり、折り畳み辺１９はノートパソコンの後部と連接し、上にある電線穴位置と形状はパソコンの後部にある穴の位置と形状に適合する。
【００４６】
図８が示すとおり、左側部品２は溝７に沿ってバック部品４に折り畳み、右側部品３は溝８に沿ってバック部品４に折り畳む。
【００４７】
図９が示すとおり、頂部部品１とサイド部品とは直接接続し、繋がるところで溝を設け、頂部部品とサイド部品は溝に沿って折り畳むことができ、頂部部品１の下側にバック部品４を設け、バック部品と頂部部品とを直接接続し、繋がるところに溝を設け、頂部部品とバック部品はこの溝に沿って折り畳むことができる。またバック部品の下側に一つの底部部品５を設け、底部部品とバック部品とを直接接続し、繋がるところに溝を設け、底部部品とバック部品はこの溝に沿って折り畳むことができる。バック部品の両側に折り畳み辺２１，２２を設け、内側にマグネットを設置する同時に、サイド部品にあったバック部品の折り畳み辺と接触するところにもマグネットを設け、このマグネットはＮｄＦｅＢ材料のものである。両サイド部品に円角２３，２４を設ける。
【００４８】
図１０が示すとおり、底部部品をノートパソコン１２の下に押してディスプレイフードとパソコンとを一緒に固定する。折り畳み辺２１とレイト部品を接触させ、またマグネットを使ってバック部品とサイド部品とを一緒につなげる。
【００４９】
図１１が示すとおり、本発明の実例４は実例３の上に改善したもの、頂部部品１、左側部品２、右側部品３及びバック部品４の上にそれぞれ太陽電池セル２５，２６，２７と２８を設け、またサイド部品３にプラグ２９を設ける。
【００５０】
図１２が示すとおり、底部部品５をパソコン１２の下に押してディスプレイフードをノートパソコンに固定させ、折り畳み辺２１は左側部品と接触し、またマグネットを使ってサイド部品とバック部品とを接続する。
【００５１】
図１３が示すとおり、頂部部品１の両側に折り畳み辺１０、１１、上部に折り畳み辺３２、左側部品に折り畳み辺３０、下側ナイロンマジックテープ（登録商標）３３、右側部品に折り畳み辺３１、下側にナイロンマジックテープ（登録商標）３４をそれぞれ設ける同時に、ディスプレイスクリーン３７のバックにある頂辺４０及び二本の側辺３８と３９のところにそれぞれナイロンマジックテープ（登録商標）を設け、両サイド部品にそれぞれ円角２３と２４、頂部部品に検査設備穴３５を設け、また検査設備穴に適合する蓋３６も設けてある。
【００５２】
図１４と図１５が示すとおり、頂部部品にある折り畳み辺３２及び両サイド部品の折り畳み辺３０、３１はナイロンマジックテープ（登録商標）でディスプレイスクリーン３７のバックに取り付ける。
【００５３】
図１６が示すとおり、両サイド部品はそれぞれ折り畳み辺３０と３１に沿って折り畳むことができる。
【００５４】
図１７が示すとおり、頂部部品は折り畳み３２に沿って折り畳むことができる。
【００５５】
図１８が示すとおり、頂部部品１は左右両部分から構成し、左部分３８は左部品２と直接接続し、繋がるところに溝４４を設け、頂部部品の左部分３８と左側部品２は溝４４に沿って折り畳むことができ、右部分３９は右側部品３と直接接続し、繋がるところに溝４５を設け、頂部部品の右部分３９と右側部品３は溝４５に沿って折り畳むことができる。両サイド部品及び頂部部品の左右両部分はそれぞれ折り畳み辺３０、３１、４０、４１を設け、この折り畳み辺の内側にいずれもマグネットを設け、ディスプレイスクリーン３７のバックにある四つの辺にもぞれぞれマグネット４６、４７、４８、４９を設ける同時に、頂部部品の左右両部分が接触するところにもマグネット４２と４３を設ける。
【００５６】
図１９が示すとおり、左側部品と右側部品はそれぞれ折り畳み辺３０、３１に沿ってスクリーン３７のバック側に折り畳む。
【００５７】
図２０が示すとおり、頂部部品の両部分はそれぞれ溝４４，４５に沿ってスクリーンのバック側に折り畳み、マグネット４６が頂部部品の左右両部分にあるマグネット４２，４３と相引き付けることによって頂部部品をノートパソコンに固定させる。
図２１が示すとおり、左側部品の折り畳み辺３０がパソコンのスクリーン３７のバック側にあるマグネット４７と相引き付けることで、左側部品をノートパソコンに固定する。右側部品の折り畳み辺３１がパソコンのスクリーン３７のバック側にあるマグネット４８と相引き付けことで、右側部品をノートパソコンの上に固定する。頂部部品の左右両部分はマグネット４２と４３との相引き付けで一緒に接続する。
【００５８】
図２２が示すとおり、頂部部品１はサイド部品と直接接続し、繋がるところに溝を設け、左側部品２と頂部部品１は溝５０に沿って折り畳むことができ、右側部品３と頂部部品１は溝５１に沿って折り畳むことができる。頂部部品に折り畳み辺３２、両サイド部品にそれぞれ折り畳み辺３０、３１を設け、頂部部品及び両サイド部品に設ける折り畳み辺の内側にいずれもナイロンマジックテープ（登録商標）を設け、ノートパソコンのスクリーン３７が折り畳み辺と接触する相応する場所にもナイロンマジックテープ（登録商標）４７、４８、４９を設ける。
【００５９】
図２３が示すとおり、頂部部品１は折り畳み辺３２に沿ってノートパソコンのスクリーン３７のバック側に折り畳む。
【００６０】
図２４が示すとおり、左側部品は溝５０に沿って頂部部品に折り畳んであり、右側部品は溝５１に沿って頂部部品に折り畳む。
【００６１】
図２５が示すとおり、頂部部品１の下側に一つのバック部品４を設け、それを頂部部品と直接つなげ、繋がるところに溝を設け、バック部品と頂部部品はこの溝に沿って折り畳むことができる。両サイド部品にも折り畳み辺を設け、その内側にナイロンマジックテープ（登録商標）設置し、またバック部品の両側にもナイロンマジックテープ（登録商標）５２，５３を設ける。
【００６２】
図２６が示すとおり、バック部品の内側にある四角にそれぞれ傾斜するゴムひもを設ける。傾斜するゴムひも５４，５５，５６，５７を一組にし、また傾斜するゴムひも５８，５９、６０，６１を一組にし、両組は多種類の規格の違うノートパソコンに適合する。
図２７が示すとおり、バック部品と両サイド部品とをナイロンマジックテープ（登録商標）で接続し、５４、５５、５６、５７という組の傾斜するゴムひもでスクリーンを覆うことによってディスプレイフードとノートパソコンとを一緒に固定させる。
【００６３】
図２８が示すとおり、バック部品とサイド部品とを直接つなげ、繋がるところに溝を設け、バック部品とサイド部品をこの溝に沿って折り畳むことができる。頂部部品をバック部品の下側に設置し、バック部品と頂部部品とを直接つなげ、繋がるところに溝を設け、バック部品と頂部部品をこの溝に沿って折り畳むことができる。頂部部品とバック部品はいずれも左、中間、右の三部分から構成し、バック部品の左部分６２、中間部分６４、右部分６３はそれぞれ頂部部品の左部分６６、中間部分６５、右部分６７と繋がる。両サイド部品及びバック部品にいずれも溝を設け、ディスプレイフードの使用高度を調整するために溝の上の部分を溝に沿って折れて取り外すことができる。左側部品と頂部部品が接続するところにファスナー７５，７６を設置し、ファスナーにつまみ７７を設け、ファスナーを閉じると、右側部品と頂部部品とを接続することができる。また頂部部品の上にも検査設備穴３５を設け、上に箱と適合する蓋３６を設ける。頂部部品及びバック部品の中部は鉄片或いはナイロンマジックテープ（登録商標）であり、頂部部品の左部分及び右部分はそれぞれマグネット或いはナイロンマジックテープ（登録商標）７０，７１を設け、バック部品の左部分及び右部分はそれぞれマグネット或いはナイロンマジックテープ（登録商標）６８、６９を設置し、頂部部品及びバック部品の中部と左右両部分が磁力で繋がっている距離を調整することによって、ディスプレイフードの使用高度を調整することができ、或いは頂部部品及びバック部品の中部をカードスロット、スライドブロックなどの装置で頂部部品及びバック部品の左右両部分とそれぞれ接続する。
【００６４】
図２９が示すとおり、バック部品の内側にある四角にそれぞれ傾斜するゴムひもを設け、左上の角に一本のゴムひも７８、右上の角に一本のゴムひも７９、左下の角に３本のゴムひも８０、８２、８４を設け、中の傾斜するゴムひも８２、８４を溝に沿って取り外す部分に設置し、右下の角に３本のゴムひも８１、８３、８５を設け、中の傾斜するゴムひも８３、８５を溝に沿って取り外す部分に設ける。
【００６５】
図３０が示すとおり、頂部部品及びバック部品の各部分をマグネットと鉄片の磁力でつなげる。バック部品の内側にある四角に設けるゴムひも７８、７９、８４、８５でノートパソコンスクリーンを覆うことで、ディスプレイフードをノートパソコンに固定させる。
【００６６】
図３１が示すとおり、本実例の中の頂部部品、バック部品、底部部品及びサイド部品の間はいずれも固定的に接続してある。
【００６７】
図３２が示すとおり、底部部品をノートパソコンの下側に押してフードとパソコンとを一緒に固定させる。
【００６８】
図３３が示すとおり、頂部部品、サイド部品及びバック部品の間はいずれも固定に接続してある。
【００６９】
図３４が示すとおり、ディスプレイフードはバック部品及び両サイド部品の下側を通じて直接ノートパソコンの平面に立たせる。
【００７０】
上述するものは本発明に関する比較的よい実例であり、本発明を限定しに使わない。本発明の主旨と原則内に行ったいかなる修正、交替、改善なども本発明の保護範囲内にあるべきである。
【図１】
2010541027.tif 000003
【図２】
2010541027.tif 000004
【図３】
2010541027.tif 000005
【図４】
2010541027.tif 000006
【図５】
2010541027.tif 000007
【図６】
2010541027.tif 000008
【図７】
2010541027.tif 000009
【図８】
2010541027.tif 000010
【図９】
2010541027.tif 000011
【図１０】
2010541027.tif 000012
【図１１】
2010541027.tif 000013
【図１２】
2010541027.tif 000014
【図１３】
2010541027.tif 000015
【図１４】
2010541027.tif 000016
【図１５】
2010541027.tif 000017
【図１６】
2010541027.tif 000018
【図１７】
2010541027.tif 000019
【図１８】
2010541027.tif 000020
【図１９】
2010541027.tif 000021
【図２０】
2010541027.tif 000022
【図２１】
2010541027.tif 000023
【図２２】
2010541027.tif 000024
【図２３】
2010541027.tif 000025
【図２４】
2010541027.tif 000026
【図２５】
2010541027.tif 000027
【図２６】
2010541027.tif 000028
【図２７】
2010541027.tif 000029
【図２８】
2010541027.tif 000030
【図２９】
2010541027.tif 000031
【図３０】
2010541027.tif 000032
【図３１】
2010541027.tif 000033
【図３２】
2010541027.tif 000034
【図３３】
2010541027.tif 000035
【図３４】
2010541027.tif 000036
【国際調査報告】
2010541027.tif 000037
2010541027.tif 000038
2010541027.tif 000039
2010541027.tif 000040
2010541027.tif 000041
2010541027.tif 000042
2010541027.tif 000043
2010541027.tif 000044